【事件の表示】
　特許第３３０３７４９号「遊技機用制御装置」の請求項１に係る特許に対する特許異議の申立てについて、次のとおり決定する。
【結　論】
　訂正を認める。
　特許第３３０３７４９号の請求項１に係る特許を維持する。
【理　由】
第一．手続の経緯
　 本件特許第３３０３７４９号の請求項１に係わる発明は、平成９年１１月１９日に特許出願され、平成１４年５月１０日にその特許権の設定登録がなされ、平成１５年１月２２日に町田彬より特許異議申立がなされ、取消の理由が通知され、その指定期間内である、平成１５年７月２３日に訂正請求（後日取下げ）がなされた後、再度の取消しの理由が通知され、その指定期間内である、平成１５年１１月１０日に訂正請求がなされたものである。
　　
第二．訂正の適否
　［１］．訂正の内容
　　（Ａ）．訂正事項ａ
　　　特許請求の範囲の請求項１を以下のように訂正する（なお、下線部分は訂正個所を示す。以下同様）
　　「制御素子を設置した基板を、両サイドに
側縁方向の前後両端
、周縁に連結筒を突設した円形の
て、前記連結筒に、外嵌状態での
て着
キャップ状の
て前記開口部を閉塞し、前記
離した状態で
前記螺着したネジ保持部の前記一対の連結部を切断することで前記蓋部材の回動を許容可能とし、さらに、
の側縁両端
　　　　
　　（Ｂ）．訂正事項ｂ
　　　明細書の段落【０００５】を以下のように訂正する。
　　　「【課題を解決するための手段】
　上記目的を達成するために、請求項１に記載の発明は、制御素子を設置した基板を、両サイドに
側縁方向の前後両端
周縁に連結筒を突設した円形の
て、前記連結筒に、外嵌状態での
て
キャップ状の
て前記開口部を閉塞し、前記
離した状態で
前記螺着したネジ保持部の前記一対の連結部を切断することで前記蓋部材の回動を許容可能とし、さらに、
側縁両端
　　　
　　（Ｃ）．訂正事項ｃ
　　　明細書の段落【０００６】を以下のように訂正する。
　　　「【発明の実施の形態】
　以下、本発明の実施の形態を図面に基づいて説明する。
　図１は、遊技機の一例であるパチンコ機１の裏面を示したもので、パチンコ機１の裏側に付設された機構板２の中央よりやや下側には、遊技機用制御装置（以下「制御装置」と略称する）３が着脱可能に取り付けられている。この制御装置３は、図２に示すように、機構板２への取付用の上下の設置金具４，４と、表面にパチンコ機１の作動内容を制御するためのＲＯＭやＣＰＵ等の制御素子６，６・・が設置さた基板５と、そして透明な合成樹脂製の上カバー７及び下カバー８とによって形成される。これらは、設置金具４，４が、下カバー８の裏側にネジ止めされ、下カバー８の表側に基板５が配置された状態で、基板５の各コーナー際のネジ孔９，９・・と下カバー８のネジ止めタブ１０，１０・・とがネジ１１，１１・・で螺着されることで、設置金具４，４、基板５、下カバー８とが夫々一体に組み付けられる。
　又、上カバー７の両サイドには、上カバー７の側縁とその
側縁方向の前後両端
　　　　
　　（Ｄ）．訂正事項ｄ
　　　明細書の段落【０００７】を以下のように訂正する。
　　　「一方、上カバー７の下方中央（基板５上のＲＯＭ等の制御素子６の前面に当る部分）には、図３にも示す如く、円形の開口部１６が穿設されると共に、開口部１６の周縁に、外周で周方向に突条１８，１８・・を断続的に突設した連結筒１７が突設されており、その連結筒１７に、開口部１６を閉塞可能なキャップ状の蓋部材１９が装着されている。この蓋部材１９は、図４に示す如く、連結筒１７に外嵌される大径の筒体２０を有し、筒体２０の内周の周方向に突条２１，２１・・を断続的に突設してなり、連結筒１７への装着は、軸方向で連結筒１７の突１８，１８・・の間に蓋部材１９側の突条２１，２１・・を位置させて連結筒１７に外嵌させた後、軸方向で突条１８と２１とが重なるように左右どちらかに回転させることで、図５に示すように、突条１８，２１同士が係合して、蓋部材１９の軸方向への抜け止め装着がなされるものである。
　又、蓋部材１９の筒体２０外周には、放射方向へ４つのネジ保持部２２，２２・・が等間隔で突設されている。各ネジ保持部２２は、一対の連結部２３，２３により
連筒体２０から離した状態で
　更に、上カバー７の上面で、抜け止め状態で装着される蓋部材１９の各ネジ保持部２２と対応する位置には、木ネジ２７が螺合可能な螺着部２８，２８・・が形成されている。
　　　　　
　　（Ｅ）．訂正事項ｅ
　　　明細書の段落【００１１】を以下のように訂正する。
　　　「又、本形態では、リサイクルや焼却処分のために基板５を取り外す必要が生じた場合は、下カバー８に螺着されている上カバー７の上固着翼１２，１２
との連結
　尚、この構成は、上記ワンウェイタイプの木ネジ１５，１５による以外に、他の固定手段でも実現できる。例えば、図８に示すように、下カバー８の下固着翼１３，１３に、取付タブ１４，１４に代えて柱状突起２９，２９を突設する一方、上カバー７の上固着翼１２，１２には、透孔３０，３０を穿設する。これによれば、上下カバー７，８の組付けにより、図９（Ａ）の如く、透孔３０，３０を通して突出した柱状突起２９，２９の先端を、熱したドライバー等で溶かすことで、同図（Ｂ）の如く、上固着翼１２，１２が抜け止め溶着されて、上カバー７は、上固着翼１２，１２を分離しない限り取り外し不能となる。」
　　　　
　　（Ｆ）．訂正事項ｆ
　　　明細書の段落【００１２】を以下のように訂正する。
　　　「【発明の効果】
　　　請求項１に記載の発明によれば、蓋部材を取り外すためには、連結部を切断して上カバーと螺着されたネジ保持部を蓋部材から切り離さなければならないから、不正に蓋部材が取り外された場合には、必ずその痕跡が残る。従って、容易に不正行為を発見することができると共に、不正行為の防止にも繋がる。特に、蓋部材の固定と分離とが、１つのネジ保持部の螺着や切断で可能となるため、作業が簡単で、手間もかからない。
　又、正規の目的で、基板上の制御素子をチェック等する場合は、螺着したネジ保持部の連結部を切断すれば、
キャップ状の
　更に、前記上カバーの両サイドに、
側縁方向の前後両端
　　　　　　　
　［２］．訂正要件の検討
　　（１）．訂正事項ａについて、
　　　(i)．「両サイドもこ側縁と上下端でのみ連結される上固着翼を夫々延設した上カバー」との記載を、「両サイドもこ側緑方向の前後両端でのみ連結される上固着翼を夫々延設した上カバー」と、明瞭な記載に訂正し、当該訂正事項は明細書の段落【０００６】、及び、図２、図３、および図６に記載されており、(ii)．「開口部」を、「周緑に連結筒を突設した円形の開口部」との記載に訂正することは、下位概念に限定するもので、当該限定事項は、段落【０００７】、及び図２、図４、図５に記載されており、(iii)．「開□部に、回動操作によって前記開□部へ着脱可能な蓋部材を装着」との記載を、「連結筒に、外筋状態での回動操作によって着脱可能なキャップ状の蓋部材を装着して前記開ロ部を閉塞」に訂正することは、下位概念に限定するもので、当該限定事項は、段落【０００７】、【０００８】、【０００９】及び図２、図３、図４、図５に記載されており、(iv)．「前記蓋部材から離反させて連設し」との記載を、「前記蓋部材の前記蓋部材から離した状態で連設し」と訂正することは、不明瞭な記載を明瞭な記載に訂正するもので、当該訂正事項は段落【０００７】及び、図２、図４、図６、図８に記載されており、(v)．「前記螺着したネジ保持部の前記一対の連結部を切断することで前記蓋部材の回動を許容可能」との記載付記することにより、蓋部材の回動が阻止された後、再度蓋部材が回動操作可能となることを明確化するもので、当該記載は段落【０００９】に記載されており、(vi)．「前記上カバーにおける前記上固着翼との連結部分を切断する」を、「前記上カバーの側緑両端における前記上固着翼との連結部分を切断する」との記載に訂正することは、不明瞭な記載を明瞭な記載に訂正するもので、当該記載は、段落【００１１】、及び、図２、図３、図６、図７に記載されているものである。
　したがって、訂正事項ａは、特許請求の範囲の請求項１の明瞭でない記載の釈明、及び減縮に該当し、何れも新規事項の追加には該当せず、実質的に特許請求の範囲を拡張又は変更するものではない。
　　　　　　
　　（２）．訂正事項ｂ、ｃ、ｄ、ｅ，ｆについて、
　　　上記訂正事項ａと整合を図り、さらに不明瞭な記載にを訂正するものであるから、明瞭でない記載の釈明を目的とした明細書の訂正に該当し、新規事項の追加には該当せず、実質的に特許請求の範囲を拡張又は変更するものではない。
　　　　　　
　　（３）まとめ
　　　したがって、上記訂正は、特許法第１２０条の４第２項及び同条第３項で準用する第１２６条第２項及び第３項の規定に適合するので当該訂正を認める。
　　　　
　　　　　　
第三．特許異議申立について、
　［１］．本件発明
　　上記「第二」で示したように上記訂正が認められるものであるから、本件の請求項１に係る発明（以下「本件訂正発明」という）は、上記訂正に係る訂正明細書の特許請求の範囲の請求項１に記載された事項により特定されるとおりのものである。
　　　　
　［２］．特許法第３６条第２項に基づく申立の概要
　　請求項１に記載されている、
　　　(i)．「両サイドに側縁と上下端でのみ連結される上固着翼を夫々延設した上カバー」との記載は技術的に明瞭でなく、不明瞭な表現である。　
　すなわち、その表現のみをもって上記上カバーと上固着翼がどのような構成であるのかを特定することはできない。
　　(ii)．「回動操作によって前記開口部へ着脱自在な蓋部材」との記載は技術的に明瞭でなく、不明瞭な表現である。
　すなわち、その表現のみをもって具体的に如何なる動きを示し、蓋部材が着脱可能となるのか、特定することはできない。
　　　　　　
　［３］．特許法第２９条第２項に基づく申立の概要
　　異議申立人は、甲第１号証（特開平９−２９００５４号公報）には、「ワンウエイタイプのネジを螺着」して蓋部材の「回動を阻止可能とする」こと、「ネジ保持部を、夫々一対の連結部によって」前記蓋部材から離反させて連設した構成を除いて、本件発明と同様の構成が示されており、当該除外された構成は、甲第２号証（特開平９−２４８３６５号公報）、及び周知技術である。
　すなわち、
　甲第２号証には「上カバーの上面に開口部を設け」るとともに、「蓋部材の外周に、ワンウエイタイプのネジを保持するネジ保持部」を「蓋部材の外周に、ワンウエイタイプのネジを保持するネジ保持部」を「蓋部材から離反させて」設けた構成について開示されており、しかも、明確な記載のない、(i)「ワンウエイネジの螺着によって蓋部材の回動を阻止可能とする」構成は、甲第５〜７号証（特開平９−２０６４５２号公報、特開平９−２３４２８１号公報、特開平７−６９３５９号公報）に開示されるように周知技術であり、(ii)ネジ保持部を、「夫々一対の連結部によって」蓋部材から離反させて連設するという構成は、甲第３，４号証（特開平９−２９００５２号公報、特開平９−２７６４８１号公報）に開示されるように周知事項である。
　してみると、本件発明は、甲第１号証、甲第２号証に記載の発明に基づいて、甲第３号証乃至甲第７号証に記載された周知技術を付加したものに過ぎず、しかも、各号証の備える総和以上の新たな効果を奏するものでもない。
　　　　
　　　　　　
第四．特許異議の判断
　［１］．特許法第３６条第６項第２号について、
 　 (i)．「側縁と上下端」を「側縁方向の前後両端」に訂正することにより、固着翼が上カバーのサイドにおいて、その側縁に沿って両端で固着されていることが明確となった。
　　(ii)．「上記カバーの上面に開口部を設け、その開口部に、回動操作によって前記開口部へ着脱自在な蓋部材」を「前記上カバーの上面に、周縁に連結筒を突設した円形の開口部を設けて、前記連結筒に、外嵌状態での回動操作によって着脱可能なキャップ状の蓋部材を装着して前記開口部を閉塞し、」と訂正することにより、筒にキャップ状の蓋部材が回動操作により着脱自在となること、すなわち、慣用されているネジ込み回動型キャップであることが明確となった。
　　(iii)．以上のように、特許を受けようとする本件訂正発明は明確になったものであるから、特許法第３６条第６項第２号の規定を充足するものである。
　　　　　
　［２］．特許法第２９条第２項について、
　　異議申立人も認めるように、甲第１号証（特開平９−２９００５４号公報）には、「ワンウエイタイプのネジを螺着」して蓋部材の「回動を阻止可能とする」こと、及び「ネジ保持部を、夫々一対の連結部によって」前記蓋部材から離反させて連設した構成は記載されていない。
　そして、本件訂正発明における蓋部材は、円形の開口部の周縁に突設した連結筒に外嵌状態での回動操作によって着脱可能なキャップ状の蓋部材、要するに、ネジ込み回動型のキャップ状蓋部材、及び当該蓋部材の外周に、ワンウエイタイプのネジを保持する複数のネジ保持部を夫々一対の連結部によって蓋部材から離した状態で連設した構成であり、当該ネジを上カバーに螺着して蓋部材の回動を阻止し、当該一対の連結部を切断して蓋部材の回動を許容するものである。
　しかしながら、甲第２〜７号証には、本件訂正発明に示される、いわゆるネジ込み回動型のキャップ状蓋部材及びその周囲に当該蓋部材の開動作用回動を防止するためのネジ保持部材を連接する構成に関しては、記載も示唆もされていないばかりではなく、異議証拠に示された、非ネジ込み回動型蓋部材におけるネジ、ビスなどの固定手段による開閉動作阻止手段に基づいて、ネジ込み回動型蓋部材の周囲にネジ等の固定手段を配設することにより当該蓋部材のネジ込み回動を阻止することが容易に想到できたものとは認められない。　　　　
　　　　
　　　　
第五．むすび
　以上のとおりであるから、特許異議申立の理由及び証拠によっては本件訂正発明に係る特許を取り消すことはできない。
　また、他に本件訂正発明に係る特許を取り消すべき理由を発見しない。
　よって結論のとおり決定する。
【異議決定日】
平成１５年１２月２５日（２００３．１２．２５）
【訂正の要旨】
審決（決定）の【理由】欄参照。
（５４）【発明の名称】
遊技機用制御装置
（５７）【特許請求の範囲】
　【請求項１】　制御素子を設置した基板を、両サイドに
側縁方向の前後両端
、周縁に連結筒を突設した円形の
て、前記連結筒に、外嵌状態での
て着
キャップ状の
て前記開口部を閉塞し、前記
離した状態で
前記螺着したネジ保持部の前記一対の連結部を切断することで前記蓋部材の回動を許容可能とし、さらに、
の側縁両端
【発明の詳細な説明】
　【０００１】　
　【発明の属する技術分野】　
　本発明は、パチンコ機、スロットマシーン等の遊技機に設けられる制御装置に関するものである。
　【０００２】　
　【従来の技術】　
　パチンコ機等の遊技機には、内部の基板上にＲＯＭやＣＰＵ等の制御素子を設置した制御装置が内蔵されている。この制御装置は、遊技機の作動内容を制御するため、制御素子が不正に取り替えられたり、不正に改造されたりする虞れがある。
　よって、このような不正を防止するために、従来は、例えば制御装置の左右両側のカバーとシャーシとに跨がるように、カバー同士の境目に封印シートを貼着する手段が採用されている。つまり、制御装置の上カバーが取り外されると、封印シートが直ちに破れるため、制御素子が不正に取り替えられたり、改造されたりする事態を容易に発見することができることから、不正行為の防止を企図したものである。
　【０００３】
　【発明が解決しようとする課題】
　しかし、上記制御装置にあっては、カバーが取り外されても、同一形状の偽造の封印シートが貼着された場合には、不正の行為を容易に発見することができず、不正行為の防止に繋がらない。又、管轄の警察署が制御素子をチェックする場合等、正規の目的でカバーを開ける場合には、再度封印シートを貼着し直さなければならないため、非常に煩わしい。
　【０００４】
　そこで、請求項１に記載の発明は、上記従来の制御装置における問題点を解消し、不正行為の確実な発見を可能として、不正行為を効果的に防止する一方、制御装置のチェックも容易とする遊技機用制御装置を提供することを目的としたものである。
　【０００５】
　【課題を解決するための手段】
　上記目的を達成するために、請求項１に記載の発明は、制御素子を設置した基板を、両サイドに
側縁方向の前後両端
、周縁に連結筒を突設した円形の
て、前記連結筒に、外嵌状態での
て着
キャップ状の
て前記開口部を閉塞し、前記
離した状態で
前記螺着したネジ保持部の前記一対の連結部を切断することで前記蓋部材の回動を許容可能とし、さらに、
の側縁両端
　【０００６】
　【発明の実施の形態】
　以下、本発明の実施の形態を図面に基づいて説明する。
　図１は、遊技機の一例であるパチンコ機１の裏面を示したもので、パチンコ機１の裏側に付設された機構板２の中央よりやや下側には、遊技機用制御装置（以下「制御装置」と略称する）３が着脱可能に取り付けられている。この制御装置３は、図２に示すように、機構板２への取付用の上下の設置金具４，４と、表面にパチンコ機１の作動内容を制御するためのＲＯＭやＣＰＵ等の制御素子６，６・・が設置された基板５と、そして透明な合成樹脂製の上カバー７及び下カバー８とによって形成される。これらは、設置金具４，４が、下カバー８の裏側にネジ止めされ、下カバー８の表側に基板５が配置された状態で、基板５の各コーナー際のネジ孔９，９・・と下カバー８のネジ止めタブ１０，１０・・とがネジ１１，１１・・で螺着されることで、設置金具４，４、基板５、下カバー８とが夫々一体に組み付けられる。
　又、上カバー７の両サイドには、上カバー７の側縁と
その側縁方向の前後両端
　【０００７】
　一方、上カバー７の下方中央（基板５上のＲＯＭ等の制御素子６の前面に当る部分）には、図３にも示す如く、円形の開口部１６が穿設されると共に、開口部１６の周縁に、外周で周方向に突条１８，１８・・を断続的に突設した連結筒１７が突設されており、その連結筒１７に、開口部１６を閉塞可能なキャップ状の蓋部材１９が装着されている。この蓋部材１９は、図４に示す如く、連結筒１７に外嵌される大径の筒体２０を有し、筒体２０の内周の周方向に突条２１，２１・・を断続的に突設してなり、連結筒１７への装着は、軸方向で連結筒１７の突条１８，１８・・の間に蓋部材１９側の突条２１，２１・・を位置させて連結筒１７に外嵌させた後、軸方向で突条１８と２１とが重なるように左右どちらかに回転させることで、図５に示すように、突条１８，２１同士が係合して、蓋部材１９の軸方向への抜け止め装着がなされるものである。
　又、蓋部材１９の筒体２０外周には、放射方向へ４つのネジ保持部２２，２２・・が等間隔で突設されている。各ネジ保持部２２は、一対の連結部２３，２３により
筒体２０から離した状態で
　更に、上カバー７の上面で、抜け止め状態で装着される蓋部材１９の各ネジ保持部２２と対応する位置には、木ネジ２７が螺合可能な螺着部２８，２８・・が形成されている。
　【０００８】
　以上の如く構成された制御装置３においては、図６のように、下カバー８に上カバー７を螺着した後、上カバー７の連結筒１７に蓋部材１９を外嵌して回転させ、突条１８と２１同士の係合で蓋部材１９が抜け止め装着される状態で、４つのネジ保持部２２のうちの何れか１つの木ネジ２７を、対応する上カバー７の螺着部２８へねじ込む。すると、螺着されるネジ保持部２２を介して、蓋部材１９の回動が阻止されるため、蓋部材１９は上カバー７に固定されたままで、開口部１６は閉塞されることとなる。勿論この状態では、ワンウェイタイプの木ネジ２７は、螺着時と反対方向（左回り）に回転させることができないから、ネジ保持部２２での螺着状態は解除不能となる。これは、上下カバー７，８を螺着する木ネジ１５，１５でも同様である。
　【０００９】
　但し、正規の目的で、基板５上に設置された制御素子６の内容をチェック等する場合は、蓋部材１９を取り外す。即ち、螺着したネジ保持部２２の連結部２３，２３を、ニッパ等の工具で切断し、当該ネジ保持部２２を筒体２０から切り離すと、蓋部材１９の回動が可能となるため、突条１８と２１との係合がなくなる位置まで回転させれば、蓋部材１９を連結筒１７から取り外すことができる。よって、開口部１６が開放し、開口部１６を通して基板５上の制御素子６をチェックすることが可能となる。
　一方、チェック後に再び蓋部材１９を固定する場合は、蓋部材１９を抜け止め状態で装着し、最初に螺着したネジ保持部２２に隣接するネジ保持部２２を上記と同様に木ネジ２７で螺着すれば良い。よってここでは、このような蓋部材１９の分離と固定とを３回繰り返すことができる。
　【００１０】
　このように、本形態においては、蓋部材１９を取り外すためには、連結部２３，２３を切断して上カバー７と螺着されたネジ保持部２２を蓋部材１９から切り離さなければならないから、不正に蓋部材１９が取り外された場合には、必ずその痕跡が残る。従って、容易に不正行為を発見することができると共に、不正行為の防止にも繋がる。特に、蓋部材１９の固定と分離とが、１つのネジ保持部２２の螺着や切断で可能となるため、作業が簡単で、手間もかからない。
　尚、ネジ保持部２２の数は上記形態に限定するものでなく、適宜増減可能である。又、蓋部材１９と連結筒１７との装着構造も、上記構造に限らず、連結筒１７の外周か蓋部材１９の内周の何れか一方にＬ字溝を、他方にそのＬ字溝に挿入可能な突起を夫々設けることで、蓋部材１９の外嵌と回転とによる抜け止めを実現したり、その他連結筒１７に雄ネジ部を、蓋部材１９に雌ネジ部を設けて、回動量の少ないネジ装着で実現したりしても良い。
　【００１１】
　又、本形態では、リサイクルや焼却処分のために基板５を取り外す必要が生じた場合は、下カバー８に螺着されている上カバー７の上固着翼１２，１２
との連結
　尚、この構成は、上記ワンウェイタイプの木ネジ１５，１５による以外に、他の固定手段でも実現できる。例えば、図８に示すように、下カバー８の下固着翼１３，１３に、取付タブ１４，１４に代えて柱状突起２９，２９を突設する一方、上カバー７の上固着翼１２，１２には、透孔３０，３０を穿設する。これによれば、上下カバー７，８の組付けにより、図９（Ａ）の如く、透孔３０，３０を通して突出した柱状突起２９，２９の先端を、熱したドライバー等で溶かすことで、同図（Ｂ）の如く、上固着翼１２，１２が抜け止め溶着されて、上カバー７は、上固着翼１２，１２を分離しない限り取り外し不能となる。
　【００１２】
　【発明の効果】
　請求項１に記載の発明によれば、蓋部材を取り外すためには、連結部を切断して上カバーと螺着されたネジ保持部を蓋部材から切り離さなければならないから、不正に蓋部材が取り外された場合には、必ずその痕跡が残る。従って、容易に不正行為を発見することができると共に、不正行為の防止にも繋がる。特に、蓋部材の固定と分離とが、１つのネジ保持部の螺着や切断で可能となるため、作業が簡単で、手間もかからない。
　又、正規の目的で、基板上の制御素子をチェック等する場合は、螺着したネジ保持部の連結部を切断すれば、
キャップ状の
に突設された連結筒
　更に、前記上カバーの両サイドに、
側縁方向の前後両端
【図面の簡単な説明】
　【図１】
　パチンコ機の説明図である。
　【図２】
　制御装置の説明図である。
　【図３】
　上カバーの正面図及びＡ−Ａ断面図である。
　【図４】
　（Ａ）蓋部材の正面図及び側面図である。
　（Ｂ）蓋部材の背面図及び断面図である。
　【図５】
　（Ａ）上カバーに装着した蓋部材のネジ保持部の断面説明図である。
　（Ｂ）上カバーに装着した蓋部材の断面説明図である。
　【図６】
　蓋部材を装着した状態の制御装置の正面図である。
　【図７】
　上カバーを取り外した状態の制御装置の説明図である。
　【図８】
　上カバーの固定手段の変更例を示す説明図である。
　【図９】
　（Ａ）溶着前の上下カバーの組付け状態の説明図である。
　（Ｂ）溶着後の上下カバーの組付け状態の説明図である。
　【符号の説明】
　１・・パチンコ機、３・・制御装置、５・・基板、７・・上カバー、８・・下カバー、１２・・上固着翼、１３・・下固着翼、１６・・開口部、１７・・連結筒、１８，２１・・突条、１９・・蓋部材、２２・・ネジ保持部、２３・・連結部、２７・・木ネジ、２８・・螺着部。